(57)【要約】      （修正有）【課題】低コストでありながら、さらなる低騒音を実現できる、改良された膨張弁を提供する。【解決手段】膨張弁は、２つの流路２１，２２をつなぐ弁室ＶＳに配置され、流体が通過する環状の弁座２０を備えた弁本体２と、弁座２０に着座することにより流体の通過を阻止し、弁座２０から離間することにより流体の通過を許容する弁体３と、弁体３を弁座２０に向かって付勢するコイルばね４１と、コイルばね４１による付勢力に抗して、弁体３を弁座２０から離間する方向に押圧する作動棒５と、弁体サポート４２と、底部４３ａと、底部４３ａからコイルばね４１の外周に沿って軸線方向に延在する外側管状部４３ｂとを備えたばね受け部材４３と、を有し、弁体サポート４２は、弁体３を保持する保持部と、コイルばね４１の内周に沿って軸線方向に延在する内側筒体４２ｂとを備え、内側筒体４２ｂの端部は外側管状部４３ｂ内に進入している。【選択図】図２
2019163916.tif 000002
【特許請求の範囲】
【請求項１】
２つの流路をつなぐ弁室に配置され、前記流路間を流れる流体が通過する環状の弁座を備えた弁本体と、
前記弁座に着座することにより前記流体の通過を阻止し、前記弁座から離間することにより前記流体の通過を許容する弁体と、
前記流路からの流体の流れに対して側面を向けて前記弁室に配置され、前記弁体を前記弁座に向かって付勢するコイルばねと、
前記コイルばねによる付勢力に抗して、前記弁体を前記弁座から離間する方向に押圧する作動部材と、
前記弁体と前記コイルばねの一端との間に配置され、前記弁体を保持する保持部を備えた弁体サポートと、
前記弁本体に取り付けられ、前記コイルばねの他端を保持する底部と、前記底部から前記コイルばねの外周に沿って軸線方向に延在する外側管状部とを備えたばね受け部材と、を有し、
前記弁体サポートは、前記コイルばねの内周に沿って軸線方向に延在する垂下部を備え、前記垂下部の端部は前記外側管状部内に進入している、
ことを特徴とする膨張弁。
【請求項２】
前記弁体は球形状であって、前記弁体サポートの前記保持部に溶接されている、
ことを特徴とする請求項１に記載の膨張弁。
【請求項３】
前記弁体サポートの前記垂下部は中空である、
ことを特徴とする請求項１または２に記載の膨張弁。
【請求項４】
前記弁体サポートの前記保持部と前記垂下部とは一体である、
ことを特徴とする請求項１〜３のいずれか一項に記載の膨張弁。
【請求項５】
前記弁体サポートの前記保持部と前記垂下部とは別体であって、互いに接合されている、
ことを特徴とする請求項１〜３のいずれか一項に記載の膨張弁。
【請求項６】
少なくとも前記弁体が前記弁座に着座している状態で、前記垂下部の端部は前記外側管状部内に進入している、
ことを特徴とする請求項１〜５のいずれか一項に記載の膨張弁。
【発明の詳細な説明】
【技術分野】
【０００１】
本発明は、膨張弁に関する。
【背景技術】
【０００２】
従来、自動車に搭載される空調装置等に用いる冷凍サイクルについては、設置スペースや配管を省略するために、冷媒の通過量を温度に応じて調整する感温式の膨張弁が使用されている。
【０００３】
ところで、このような膨張弁において騒音が発生することが確認された。騒音の発生要因について、具体的に説明する。あるタイプの膨張弁においては、冷媒が入口ポートから弁室を通り、出口ポートへ向かう際に弁座と弁体とからなる弁を通過する。ここで、弁の開閉機能を確保するために、弁座に向かって弁体を付勢するコイルばねを弁室に設けている。しかるに、入口ポートから流入した冷媒がコイルばねの狭い巻線間を通過する際に流れの乱れが発生し、これが起振力となってコイルばねを振動させることにより、騒音の発生を招来する。
【０００４】
これに対し、特許文献１には、弁体とコイルばねとを連結するばね受けに、コイルばねの内側に沿って延在する円柱状の垂下体を設け、これによりコイルばねの巻線間を冷媒が通過することを抑制し、騒音の低減を図ることができる膨張弁が開示されている。
【先行技術文献】
【特許文献】
【０００５】
【特許文献１】特許第６１８２３６３号公報
【発明の概要】
【発明が解決しようとする課題】
【０００６】
特許文献１に記載の膨張弁によれば、大きな騒音抑制効果が期待できるが、膨張弁の仕様によっては、より低騒音が望まれる場合がある。しかしながら、膨張弁のコストの増大は極力抑制したいという実情もある。
【０００７】
そこで本発明の目的は、低コストでありながら、さらなる低騒音を実現できる、改良された膨張弁を提供することにある。
【課題を解決するための手段】
【０００８】
上記目的を達成するために、本発明による膨張弁は、
２つの流路をつなぐ弁室に配置され、前記流路間を流れる流体が通過する環状の弁座を備えた弁本体と、
前記弁座に着座することにより前記流体の通過を阻止し、前記弁座から離間することにより前記流体の通過を許容する弁体と、
前記流路からの流体の流れに対して側面を向けて前記弁室に配置され、前記弁体を弁座に向かって付勢するコイルばねと、
前記コイルばねによる付勢力に抗して、前記弁体を前記弁座から離間する方向に押圧する作動部材と、
前記弁体と前記コイルばねの一端との間に配置され、前記弁体を保持する保持部を備えた弁体サポートと、
前記弁本体に取り付けられ、前記コイルばねの他端を保持する底部と、前記底部から前記コイルばねの外周に沿って軸線方向に延在する外側管状部とを備えたばね受け部材と、を有し、
前記弁体サポートは、前記コイルばねの内周に沿って軸線方向に延在する垂下部を備え、前記垂下部の端部は前記外側管状部内に進入している、
ことを特徴とする。
【発明の効果】
【０００９】
本発明により、低コストでありながら、さらなる低騒音を実現できる、改良された膨張弁を提供することができる。
【図面の簡単な説明】
【００１０】
【図１】本実施形態における膨張弁１を、冷媒循環システムに適用した例を模式的に示す概略断面図である。
【図２】付勢装置４の近傍を拡大して示す断面図である。
【図３】弁体サポート４２の軸線方向断面図である。
【図４】比較例にかかる構成を示す図２と同様な断面図である。
【図５】変形例にかかる弁体サポート４２Ａを示す断面図である。
【図６】別な変形例にかかる弁体サポート４２Ｂを示す断面図である。
【発明を実施するための形態】
【００１１】
以下、図面を参照して、本発明にかかる実施形態について説明する。
【００１２】
（方向の定義）
本明細書において、弁体３から作動棒５に向かう方向を「上方向」と定義し、作動棒５から弁体３に向かう方向を「下方向」と定義する。よって、本明細書では、膨張弁１の姿勢に関わらず、弁体３から作動棒５に向かう方向を「上方向」と呼ぶ。
【００１３】
（膨張弁の概要）
図１を参照して、本実施形態における膨張弁１の概要について説明する。図１は、本実施形態における膨張弁１を、冷媒循環システムに適用した例を模式的に示す概略断面図である。なお、図１において、パワーエレメント８に対応する部分は側面図で示されており、その他の部分は断面図で示されている。本実施例では、膨張弁１は、コンプレッサ１０１と、コンデンサ１０２と、エバポレータ１０４とに流体接続されている。
【００１４】
膨張弁１は、弁室ＶＳを備える弁本体２と、弁体３と、付勢装置４と、作動棒（作動部材）５と、リングばね６とを具備する。
【００１５】
弁本体２は、弁室ＶＳに加え、第１流路２１および第２流路２２を備える。第１流路２１は、例えば供給側流路であり、弁室ＶＳには、供給側流路を介して冷媒(流体ともいう）が供給される。第２流路２２は、例えば排出側流路であり、弁室ＶＳ内の流体は、作動棒挿通孔２７及び排出側流路を介して膨張弁外に排出される。第１流路２１と弁室ＶＳとの間は、第１流路２１より小径の接続路２１ａにより連通している。
【００１６】
弁体３は、弁室ＶＳ内に配置される。弁体３が弁本体２の環状の弁座２０に着座しているとき、第１流路２１と第２流路２２とは非連通状態となる。一方、弁体３が弁座２０から離間しているとき、第１流路２１と第２流路２２とは連通状態となる。図1は、弁体３が弁座２０から離間した状態を示している。
【００１７】
作動棒挿通孔２７に隙間を持って挿通された作動棒５の下端は、弁体３の上面に接触している。また、作動棒５は、付勢装置４による付勢力に抗して弁体３を開弁方向に押圧することができる。作動棒５が下方向に移動するとき、弁体３は、弁座２０から離間し、膨張弁１が開状態となる。
【００１８】
リングばね６は、作動棒５の振動を抑制する防振部材である。このリングばね６は、弁本体２の環状部２６に配置されて、内周側に突出した爪部により、作動棒５の外周面に所定の弾性力を付与するようになっている。
【００１９】
図２は、付勢装置４の近傍を拡大して示す断面図であるが、点線で弁体３が弁座２０に着座した状態を示している。付勢装置４は、円形の線材を螺旋状に巻いたコイルばね４１と、弁体サポート４２と、ばね受け部材４３とを有する。
【００２０】
図３は、弁体サポート４２の軸線方向断面図である。ＳＵＳ製の弁体サポート４２は、フランジ状の保持部４２ａと、保持部４２ａの下端中央から下方に延在する円筒状の内側筒体（垂下部）４２ｂとから一体的に形成されている。内側筒体４２ｂの外径は、コイルばね４１の内径に略等しい。保持部４２ａの上面中央には円錐状のくぼみ４２ｃが形成されており、ここに載置される球状の弁体３(図２)を載置して溶接することで、両者は一体となる。本実施形態の内側筒体４２ｂは筒状の部材を用いたが、中実の部材を用いてもよいことは勿論である。
【００２１】
図２において、樹脂製であるばね受け部材４３は、底部４３ａと、底部４３ａの上面から上方に延在する外側管状部４３ｂとを有する。環状の底部４３ａの外周には、弁本体２の弁室ＶＳに連通する取り付け孔２ａの開口端近傍に形成された雌ねじ２ｂに螺合する雄ねじ４３ｃが形成され、また環状の底部４３ａの下面には、不図示の工具等を係合させてばね受け部材４３を回転させるための係合凹部４３ｄが形成されている。
【００２２】
外側管状部４３ｂの外周には、段部４３ｅが形成されており、段部４３ｅと取り付け孔２ａとの間にＯ−リング４４が配置され、取り付け孔２ａとばね受け部材４３との間を密封している。外側管状部４３ｂの内径は、コイルばね４１の外径に略等しい。
【００２３】
組み付け時には、弁体３を溶接された弁体サポート４２の内側筒体４２ｂを、コイルばね４１の上端から内部へと挿入して、コイルばね４１の上端を保持部４２ａの下面に当接させる。更に、コイルばね４１の下端をばね受け部材４３の外側管状部４３ｂの内側に挿入し、底部４３ａの上面に当接させる。このとき、Ｏ−リング４４を段部４３ｅに取り付けておく。
【００２４】
かかる状態を保持しつつ、弁体サポート４２、コイルばね４１、およびばね受け部材４３からなるアッセンブリを、取り付け孔２ａから弁室ＶＳ内へと進入させ、雌ねじ２ｂに雄ねじ４３ｃを螺合させて、不図示の工具を用いて所定位置まで追い込む。このとき、接続路２１ａがコイルばね４１の側面に正対するようになる。ばね受け部材４３は、弁本体２に装着されることにより弁室ＶＳを封止するプラグとして機能する。
【００２５】
本実施の形態においては、弁体３が弁座２０に着座した状態で、内側筒体４２ｂの下端は外側管状部４３ｂに進入する。図２の例では、点線で示すように弁体３が弁座２０に着座した状態で、内側筒体４２ｂの下端は、外側管状部４３ｂ上端に対して距離Δ１だけ下方に位置している。明らかであるが、弁体３が弁座２０から離間した状態では、内側筒体４２ｂの下端は更に外側管状部４３ｂの奥側に進入することとなる。
【００２６】
図１を参照して、膨張弁１の動作例について説明する。コンプレッサ１０１で加圧された冷媒は、コンデンサ１０２で液化され、膨張弁１に送られる。また、膨張弁１で断熱膨張された冷媒はエバポレータ１０４に送り出され、エバポレータ１０４で、エバポレータの周囲を流れる空気と熱交換される。エバポレータ１０４から戻る冷媒は、膨張弁１（より具体的には、戻り流路２３）を通ってコンプレッサ１０１側へ戻される。
【００２７】
膨張弁１には、コンデンサ１０２から高圧冷媒が供給される。より具体的には、コンデンサ１０２からの高圧冷媒は、第１流路２１を介して弁室ＶＳに供給される。
【００２８】
弁体３が、弁座２０に着座しているとき（換言すれば、膨張弁１が閉状態のとき）には、弁室ＶＳの上流側の第１流路２１と弁室ＶＳの下流側の第２流路２２とは、非連通状態である。他方、弁体３が、弁座２０から離間しているとき（換言すれば、膨張弁１が開状態のとき）には、弁室ＶＳに供給された冷媒は、作動棒挿通孔２７及び第２流路２２を通って、エバポレータ１０４へ送り出される。なお、膨張弁１の閉状態と開状態との間の切り換えは、パワーエレメント８に接続された作動棒５によって行われる。
【００２９】
図１の例では、パワーエレメント８は、膨張弁１の上端部に配置されている。図示していないが、パワーエレメント８の内部には、ダイアフラムにより仕切られた第１空間と第２空間とが設けられ、第１空間には作動ガスが充填されている。
【００３０】
ダイアフラムの下面は、ダイアフラム支持部材を介して作動棒５に接続される。このため、第１空間内の作動ガスが液化されると、作動棒５は上方向に移動し、液化された作動ガスが気化されると、作動棒５は下方向に移動する。こうして、膨張弁１の開状態と閉状態との間の切り換えが行われる。
【００３１】
パワーエレメント８の第２空間は、戻り流路２３と連通している。このため、戻り流路２３を流れる冷媒の温度、圧力に応じて、第１空間内の作動ガスの相（気相、液相等）が変化し、作動棒５が駆動される。換言すれば、図１に記載の膨張弁１では、エバポレータ１０４から膨張弁１に戻る冷媒の温度、圧力に応じて、膨張弁１からエバポレータ１０４に向けて供給される冷媒の量が自動的に調整される。
【００３２】
次に、比較例を参照して、本実施形態の効果について説明する。図４は、比較例にかかる構成を示す図２と同様な断面図である。図４において、比較例の弁体サポート４２’は、内側筒体４２ｂの全長が短いため、弁体３が弁座２０から離間した状態でも、内側筒体４２ｂの下端が、外側管状部４３ｂの上端から上方に距離Δ２の位置にある。換言すれば、内側筒体４２ｂの下端と、外側管状部４３ｂの上端との間に大きな隙間がある。それ以外の構成は、上述した実施の形態と同様である。
【００３３】
比較例の場合、弁体３が弁座２０から離間すると、接続路２１ａがコイルばね４１の側面に正対していることから、第１流路２１及び接続路２１ａから弁室ＶＳに流入する冷媒が、図４に矢印Ｂで示すように、コイルばね４１の巻線間の隙間δからコイルばね４１内に進入し、反対側から抜け出るようになっている。この際に、冷媒がコイルばね４１を振動させ、それにより騒音が発生することとなる。
【００３４】
これに対し、本実施形態によれば、図２に示すように弁体３が弁座２０から離間した状態で、内側筒体４２ｂの下端が外側管状部４３ｂに進入している。したがって、第１流路２１及び接続路２１ａから弁室ＶＳに流入する冷媒が、コイルばね４１の巻線間の隙間を通過しようとしても、矢印Ａに示すように内側筒体４２ｂの外周に弾かれて内部への進入を阻止されてしまい、コイルばね４１を振動させることができない。これにより騒音を効果的に抑制することができる。
【００３５】
図５は、変形例にかかる弁体サポート４２Ａを示す断面図である。本変形例では、保持部４２ａ及び内側筒体４２ｂを中空としている。これにより弁体サポート４２Ａの軽量化を図れる。なお、弁体３(図２)との溶接位置と干渉しないように、弁体サポート４２Ａの内径ｄを設定することが望ましい。それ以外の構成は上述した実施の形態と同様である。
【００３６】
図６は、別な変形例にかかる弁体サポート４２Ｂを示す断面図である。本変形例では、保持部４２ａと内側筒体４２ｂとを別体としている。より具体的には、保持部４２ａの下面に円筒ボス４２ｄを形成し、この円筒ボス４２ｄの外径に、別部品である薄肉円筒の上端を嵌合して接合し、内側筒体４２ｂとしている。それ以外の構成は上述した実施の形態と同様である。
【００３７】
なお、本発明は、上述の実施形態に限定されない。本発明の範囲内において、上述の実施形態の任意の構成要素の変形が可能である。また、上述の実施形態において任意の構成要素の追加または省略が可能である。
【符号の説明】
【００３８】
１        ：膨張弁
２        ：弁本体
３        ：弁体
４        ：付勢装置
５        ：作動棒
６        ：リングばね
８        ：パワーエレメント
２０      ：弁座
２１      ：第１流路
２２      ：第２流路
２３      ：戻り流路
２６      ：環状部
２７      ：作動棒挿通孔
４１      ：コイルばね
４２，４２Ａ，４２Ｂ      ：弁体サポート
４３      ：ばね受け部材
１００    ：冷媒循環システム
１０１    ：コンプレッサ
１０２    ：コンデンサ
１０４    ：エバポレータ
ＶＳ      ：弁室
【図１】
2019163916.tif 000003
【図２】
2019163916.tif 000004
【図３】
2019163916.tif 000005
【図４】
2019163916.tif 000006
【図５】
2019163916.tif 000007
【図６】
2019163916.tif 000008